(57)【要約】【課題】遊技機の表枠の右辺部のみではなく、その上辺部または左辺部を含む複数の辺部を強固にロックして不正行為を防止することができる遊技機用施錠装置を提供する。【解決手段】本体枠２０の上辺部と表枠２１の上辺部に第２施錠具Ｂが取り付けられる。第２施錠具Ｂには上辺ロック爪３２と上辺ロック爪が係止される係止部３１と上辺ロック爪３２または係止部３１を施錠側に付勢するばね部材３３とが設けられる。上辺ロック爪３２または係止部３１の何れか一方が本体枠２０に摺動可能に取り付けられる一方、係止部３１または上辺ロック爪３２の何れか一方が表枠２１に固定される。カム部材８と係合可能な駆動部２５が本体枠２０に摺動可能に取り付けられ、駆動部２５と上辺ロック爪又は係止部間にワイヤケーブル２６が張設される。【選択図】図１
2008079820.tif 000002
【特許請求の範囲】
【請求項１】
本体枠に対し開閉可能な表枠を施錠する遊技機用施錠装置であって、該表枠と本体枠の右辺部に、第１の施錠具の表枠ロック爪と該表枠ロック爪が係止される係止部とが、一方を傾動可能に又は摺動可能に且つばね部材により施錠側に付勢して設けられ、該表枠と本体枠の上辺部に、第２施錠具の上枠ロック爪と該上枠ロック爪が係止される係止部とが一方を傾動可能に又は摺動可能に且つばね部材により施錠側に付勢して設けられ、該表枠側の一部に解錠操作を行なうシリンダ錠が取り付けられ、該シリンダ錠の解錠操作によって駆動部と共に摺動するワイヤケーブルが該駆動部と第１の施錠具及び第２施錠具間に張設され、該表枠と本体枠の右辺部が第１の施錠具により施錠されると共に、該表枠と本体枠の上辺部が第２施錠具により施錠され、該シリンダ錠の解錠操作によって、該駆動部とワイヤケーブルを介して該第１の施錠具及び第２施錠具が解錠動作することを特徴とする遊技機用施錠装置。
【請求項２】
前記本体枠の左辺部と表枠の左辺部に第３施錠具が設けられ、該第３施錠具には左辺ロック爪と該左辺ロック爪が係止される係止部と該左辺ロック爪または係止部を施錠側に付勢するばね部材とが設けられ、該係止部が該本体枠に摺動可能に取り付けられると共に、該左辺ロック爪が該表枠に固定され、前記第２施錠具から前記ワイヤケーブルが延設されて該係止部に連結されることを特徴とする請求項１記載の遊技機用施錠装置。
【請求項３】
前記本体枠が中空状の金属枠または合成樹脂枠から形成され、前記ワイヤケーブルが該金属枠または合成樹脂枠の内部または内側に沿って形成した溝に配設されることを特徴とする請求項１または２記載の遊技機用施錠装置。                                                                       
【発明の詳細な説明】
【技術分野】
【０００１】
本発明は、パチンコ機などの遊技機に使用される施錠装置に関し、特に遊技機の表枠における右辺部、上辺部、左辺部など複数の辺部をロックし、無理なこじ開けなどによる不正解錠を防止することができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされる。この種の施錠装置は、パチンコ機の表枠の内側における自由端側の端部に、本体枠側を向けて縦に取り付けられ、本体枠側の対応する箇所には、受け金具が取り付けられる。そして、表枠を閉じると、表枠用ロック爪が受け金具に係止されて施錠され、表枠を解錠する場合は、キーによりシリンダ錠の錠軸を回動させ、カム部材を回動させて表枠用帯板に係合させ、これにより同帯板を摺動させて表枠を解錠する。また、キーによってシリンダ錠の錠軸を他方に回動させると、カム部材が金枠用帯板に係合し、同帯板を解錠方向に摺動させて、金枠を解錠するように動作する。
【特許文献１】特開２００１−３８０２６号公報
【発明の開示】
【発明が解決しようとする課題】
【０００４】
この種の従来の施錠装置は、上記のように、縦長に形成された基枠の上部と下部に表枠用ロック爪を設け、その上部と下部の表枠用ロック爪を、本体枠側の対応した位置に取り付けた受け金具に係止させて施錠する構造であるが、基本的には、表枠の自由端側（表枠がその左辺部を、ヒンジを介して回動可能に本体枠に取り付けられた場合、ヒンジと反対側の右辺部）を施錠する構造である。このため、遊技中に興奮した遊技者が上皿などを持って、表枠を強く引いた場合、施錠装置のロック爪のない表枠の上辺部或いはヒンジ側の左辺部の合わせ面が、開く虞があった。
【０００５】
特に、近年の遊技機は、表枠が合成樹脂で成形される傾向にあり、合成樹脂で形成された表枠の場合、金属板で補強されているものの、無理やり強く引かれた場合、その形状が湾曲するように変形し、ロック爪のない表枠の上辺部や左辺部の本体枠側との合わせ面の隙間が開くように変形してしまう。そして、表枠の上辺部や左辺部の隙間が開くと、そこから針金などの不正器具を差し込んで不正に表枠用ロック爪または金枠用ロック爪を傾動させて表枠或いは金枠を解錠されるという問題があった。また、不正解錠が行なわれない場合であっても、開いた隙間から差し込んだ不正器具により、不正に役物などを開放させ、不正な遊技球の払出しが行なわれ易いという問題があった。
【０００６】
本発明は、上述の課題を解決するものであり、遊技機の表枠の右辺部のみではなく、その上辺部または左辺部を含む複数の辺部を強固にロックして不正行為を防止することができる遊技機用施錠装置を提供することを目的とする。
【課題を解決するための手段】
【０００７】
本発明に係る請求項１の遊技機用施錠装置は、本体枠に対し開閉可能な表枠を施錠する遊技機用施錠装置であって、該表枠と本体枠の右辺部に、第１の施錠具の表枠ロック爪と該表枠ロック爪が係止される係止部とが、一方を傾動可能に又は摺動可能に且つばね部材により施錠側に付勢して設けられ、該表枠と本体枠の上辺部に、第２施錠具の上枠ロック爪と該上枠ロック爪が係止される係止部とが一方を傾動可能に又は摺動可能に且つばね部材により施錠側に付勢して設けられ、該表枠側の一部に解錠操作を行なうシリンダ錠が取り付けられ、該シリンダ錠の解錠操作によって駆動部と共に摺動するワイヤケーブルが該駆動部と第１の施錠具及び第２施錠具間に張設され、該表枠と本体枠の右辺部が第１の施錠具により施錠されると共に、該表枠と本体枠の上辺部が第２施錠具により施錠され、該シリンダ錠の解錠操作によって、該駆動部とワイヤケーブルを介して該第１の施錠具及び第２施錠具が解錠動作することを特徴とする。なお、このワイヤケーブルは、金属線材を用いた通常のワイヤの他、帯状金属を用いたケーブルをも含む概念である。
【０００８】
また、請求項２の発明は、上記請求項１の施錠装置において、上記本体枠の左辺部と表枠の左辺部に第３施錠具が設けられ、該第３施錠具には左辺ロック爪と該左辺ロック爪が係止される係止部と該左辺ロック爪または係止部を施錠側に付勢するばね部材とが設けられ、該係止部が該本体枠に摺動可能に取り付けられると共に、該左辺ロック爪が該表枠に固定され、前記第２施錠具から前記ワイヤケーブルが延設されて該係止部に連結されることを特徴とする。
【０００９】
また、請求項３の発明は、上記請求項１または請求項２の施錠装置において、上記本体枠が中空状の金属枠または合成樹脂枠から形成され、上記ワイヤケーブルが該金属枠または合成樹脂枠の内部または内側に沿って形成した溝に配設されることを特徴とする。
【発明の効果】
【００１０】
上記構成の遊技機用施錠装置では、表枠を本体枠に対し閉じると、表枠の右辺部において表枠ロック爪が係止されて施錠状態となるが、その上辺部においても第２施錠具の係止部が上辺ロック爪に係止されてロックされる。したがって、遊技者がパチンコ遊技機の上皿などを持って、表枠を強く引き、或いは本体枠と表枠の右辺部や上辺部の接合面に不正工具を差し込んで開こうとしても、表枠の右辺部及び上辺部に隙間が生じる或いは隙間が広がることはない。したがって、表枠と本体枠の隙間から針金などの不正器具を差し込むことは非常に難しく、不正行為を防止することができる。
【００１１】
また、請求項２のように、第３施錠具を本体枠と表枠の左辺部に設けた場合、さらに本体枠と表枠の左辺部が、第３施錠具の係止部と左辺ロック爪の係止によりロックされるため、表枠の自由端側の右辺部だけではなく、枠部の上辺部と左辺部が共にロックされる。よって、表枠が湾曲しやすい合成樹脂製であって、遊技者が上皿などを持って強く引っ張ったとしても、枠部の右辺部だけではなく、上辺部や左辺部に隙間が生じ或いは隙間が広がることはなく、隙間から不正器具を差し込んで行なう不正行為を防止することができる。
【００１２】
なお、本発明が請求する技術的思想は、特許請求の範囲の各請求項に記載されたとおりであるが、本発明は以下のような構成要素と作用効果を有した技術的思想をも含むものである。
【００１３】
すなわち、縦長に形成された基枠の上部と下部に表枠ロック爪が傾動可能に又は摺動可能に設けられ、該表枠ロック爪を遊技機の本体枠側に向けて該基枠が該遊技機の表枠の右辺部に取り付けられ、該基枠内に解錠帯板が摺動可能に配設され、該基枠にシリンダ錠が取り付けられ、該シリンダ錠の錠軸にカム部材が該解錠帯板と係合可能に取り付けられ、該表枠ロック爪を該本体枠の対応した位置に取り付けた受け金具に係止させ該表枠を施錠する遊技機用施錠装置であって、該本体枠の上辺部と該表枠の上辺部に第２施錠具が取り付けられ、該第２施錠具には上辺ロック爪と該上辺ロック爪が係止される係止部と該上辺ロック爪または係止部を施錠側に付勢するばね部材とが設けられ、該上辺ロック爪または係止部の何れか一方が該本体枠に摺動可能に取り付けられる一方、該係止部または該上辺ロック爪の何れか一方が該表枠に固定され、該カム部材と係合可能な駆動部が該本体枠に摺動可能に取り付けられ、該駆動部と該上辺ロック爪又は係止部間にワイヤケーブルが張設され、該シリンダ錠の操作により該カム部材が回動したとき、該駆動部とワイヤケーブルを介して該上辺ロック爪または係止部が摺動して解錠されることを特徴とする遊技機用施錠装置。この発明の施錠装置によれば、第１の施錠具として、表枠の右辺部に基枠が取り付けられ、その基枠に表枠ロック爪、シリンダ錠、カム部材を取り付け、駆動部とそこに連結されるワイヤケーブルは本体枠側に取り付けられるから、装置を合理的に構成することができ、施錠・解錠の動作を確実に行なうことができる。
【発明を実施するための最良の形態】
【００１４】
以下、本発明の一実施形態を図面に基づいて説明する。図１はパチンコ遊技機の施錠装置を含む枠部の正面図を示し、図２はその右側面図を示している。また、図３はその左側面図を示し、図４はその平面図を示している。本施錠装置は、基本的には、パチンコ遊技機の表枠２１の右辺部２１ａ，上辺部２１ｂ、及び左辺部２１ｃの各々を、本体枠２０の右辺部２０ａ、上辺部２０ｂ、左辺部２０ｃに対し、ロック爪により強固にロックするように構成される。
【００１５】
パチンコ遊技機の枠部は、図１に示すように、本体枠２０の左辺部２０ｃの上部と下部に分離型のヒンジ１９が固定され、そのヒンジ１９を介して表枠２１がその右辺部２１ａを自由端として開閉可能に装着される。また、表枠２１の前面には、ガラス枠２２がその左辺部を、図示しないヒンジを介して取り付けられ、その右辺部を自由端として開閉可能に装着されている。ガラス枠２２の自由端側の内側には、図２に示すように、後述のガラス枠ロック爪４，５が係止されるガラス枠係止部２２ａ，２２ｂが設けられている。
【００１６】
本施錠装置は、図１、図５に示すように、本体枠２０と表枠２１の自由端側の右辺部２０ａ，２１ａに第１の施錠具Ａが取り付けられる。施錠具Aには表枠ロック爪２，３が傾動可能に設けられ、本体枠２０の右辺部２０ａの対応位置には、施錠具Ａの表枠ロック爪２，３が係止される受け金具２３，２４が固定される。さらに、本体枠２０の右辺部２０ａ内側には、板状でワイヤケーブル２６が連結された駆動部２５が摺動可能に配設される。駆動部２５には、施錠具Ａのカム部材８が表枠２１の閉鎖時に係合可能となり、駆動部２５は所定の上下範囲で摺動可能に配設される。さらに、本体枠２０の上辺部２０ｂ内側には上辺ロック爪３２と係止部３１とを有した第２施錠具Ｂが配設される。さらに本体枠２０の左辺部２０ｃ内側には、その上部と下部に左辺ロック爪４２，５２を備えた第３施錠具Ｃが配設される。表枠２１の左辺部２１ｃには、第３施錠具Ｃとして、その上部に左辺ロック爪４２と、その左辺ロック爪４２が係止される係止部４１と、その左辺部２１ｃの下部に左辺ロック爪５２と、その左辺ロック爪５２が係止される係止部５１と、が配設される。本施錠装置はこれらの施錠具Ａ〜Ｃによって構成される。
【００１７】
本体枠２０の内側に取り付けられた駆動部２５、上辺ロック爪３２、及び左辺部２０ｃの係止部４１、５１は、本体枠２０の内側に沿って配設された１本のワイヤケーブル２６により連結され、ワイヤケーブル２６が駆動部２５の下方への移動によりその軸方向に引かれたとき、その方向に摺動可能とされる。これにより、施錠具Ａの解錠操作時、駆動部２５が下方に摺動すると、その摺動に伴って、ワイヤケーブル２６を介して上辺ロック爪３２と左辺部の係止部４１，５１が解錠方向に移動し、上辺部と左辺部の第２施錠具Ｂ，第３施錠具Ｃが解錠される。本体枠２０は、図１３に示すように、少なくともその左辺部２０ｃ、上辺部２０ｂ、右辺部２０ａがアルミニウムなどの引き抜き加工により中空状に形成された金属枠から形成され、その金属枠の内側にワイヤケーブル２６が張設される。ワイヤケーブル２６は、金属枠の内部を通し、あるいは金属枠の内側に溝を形成し、その溝内に通すことができ、これにより、ワイヤケーブルと本体枠内の他の部品との干渉を避けて装着することができる。
【００１８】
図１４に示すように、ワイヤケーブル２６は略コ字状に張設され、図１３に示すように、本体枠２０の角部にはガイドプーリ２７がプーリ保持枠２８を介して回転自在に取り付けられる。ワイヤケーブル２６はこの角部に位置するガイドプーリ２７に挿通されて張設され、その軸方向の移動がガイドされる。また、ワイヤケーブル２６の末端に、上記のような板状の駆動部２５が連結される。さらに、本体枠２０の上辺部２０ｂを通るワイヤケーブル２６の所定箇所に係合部２６ａが固定され、左辺部２０ｃの上部と下部を通る所定箇所に係合部２６ｂ、２６ｃが固定される。このワイヤケーブル２６の所定位置に固定した係合部２６ａ〜２６ｃは、摺動可能に配設される上辺ロック爪３２、係止部４１，５１に対し、ワイヤケーブル２６が駆動方向に移動したとき、係合可能となっている。
【００１９】
駆動部２５は、図２、図６、図１０に示すように、板状本体の上部にワイヤケーブル２６が連結される連結部２５ａが設けられ、さらに、施錠具Ａのカム部材８に対応した部分に、その第３係合凸部８ｃと係合可能な係合部２５ｂが内側に折り曲げて形成される。また、駆動部２５にはガイド孔が上下に向けて形成され、駆動部２５は、ガイドピンをそのガイド孔に挿入し、ガイドピンの先端を本体枠２０の右辺部２０ａの内側に固定して取り付けられる。さらに、駆動部２５を上方に付勢するためのばね部材２９が本体枠２０との間にかけられる。
【００２０】
これにより、駆動部２５はばね部材２９により上方に付勢された状態で、本体枠２０の右辺部２０ａの内側に取り付けられ、シリンダ錠７の錠軸がキーにより回動され、カム部材８が図１０の反時計方向に回動したとき、カム部材８の第３係合凸部８ｃが係合部２５ｂに係合し、ばね部材２９の付勢力に抗して駆動部２５を下方に摺動させる構造である。施錠具Ａは本体枠２０に対し開閉可能な表枠２１の自由端側の内側に取り付けられ、駆動部２５は本体枠２０の内側に取り付けられるが、駆動部２５の係合部２５ｂは、表枠２１を閉じたとき、図１０、図１８，１９に示すように、施錠具Ａのカム部材８の第３係合凸部８ｃと係合可能な位置まで、進入する構造となっている。
【００２１】
施錠具Ａは、図９〜図１２に示すように、縦長で横断面略コ字状またはＬ字状の基枠１を有し、その基枠１の支持板１２の上部と下部に、各々、パチンコ遊技機の表枠２１を施錠するための表枠ロック爪２，３を揺動可能に枢支する。さらに、基枠１内に上下の表枠ロック爪２，３を解錠方向に傾動させる解錠帯板６を摺動可能に配設し、基枠１の取付板１１の中間部下寄りにシリンダ錠７を取り付け、シリンダ錠７の錠軸先端に固定したカム部材８を、解錠帯板６に係合可能とするように、施錠具Aは構成される。
【００２２】
施錠具Ａの基枠１は、図１１、図１２の分解図に示すように、縦長の略アングル材またはチャンネル材形状に形成され、表枠２１の内側に固定ねじなどで取り付けられる取付板１１と、取付板１１に対し直角に曲折された支持板１２とを有している。支持板１２の上部と下部に枢支された１対の表枠ロック爪２，３は、図１６のように、枢軸２ａ，３ａを軸に水平位置から斜め下方に傾動可能に枢支され、爪の係止凹部は上方を向き、背面側に水平に突き出すように配設される。図１１に示すように、１対の表枠ロック爪２，３の末端部（元部）には突起部２ｂ、３ｂが設けられ、その突起部２ｂ、３ｂには、ばね部材（コイルばね）１３，１５がかけられると共に、解錠帯板６の係合凹部６ａ、６ｂが係合可能となっている。
【００２３】
つまり、１対の表枠ロック爪２，３は、常時、ばね部材１３，１５の付勢力により施錠方向に付勢され、本体枠２０側に取り付けた受け金具２３，２４（図２）に係止可能とされる。また、解錠帯板６の上部と下部の対応位置には、図１１のように、係合凹部６ａ、６ｂが形成され、解錠帯板６が上方に移動したとき、１対の表枠ロック爪２，３は、ばね部材１３，１５の付勢力に抗して下側に傾動し、解錠動作する。基枠１の取付板１１の内側に、円弧形のガイド凸部１１ａが内側に切り起すように突設され、基枠１内におけるガイド凸部１１ａと支持板１２との間に、解錠帯板６は上下摺動可能に支持される。また、図１１のように、解錠帯板６には、ガイド孔（長孔）６ｅが長手方向に形成され、ガイドピン１６がガイド孔６ｅに挿通され、その先端が支持板１２に固定され、これにより、解錠帯板６は所定の上下範囲でガイドされて摺動可能ある。
【００２４】
図１２に示すように、基枠１の取付板１１の上部と略中央部付近に、長孔１１ｃ、１１ｄが形成され、その長孔１１ｃ、１１ｄを内側から外側に挿通して、１対のガラス枠ロック爪４，５が、その末端部を、枢軸４ａ，５ａにより支持板１２の上部と中央部近傍に枢支される。この１対のガラス枠ロック爪４，５は、取付板１１の長孔１１ｃ、１１ｄを内側から正面側に貫通し、枢軸４ａ，５ａを軸に水平位置から斜め下方に傾動可能に枢支され、爪の係止凹部は上方を向き、正面側に水平に突き出すように配設される。
【００２５】
さらに、図１１に示すように、１対のガラス枠ロック爪４，５の中間部には突起部４ｂ、５ｂが設けられ、その突起部４ｂ、５ｂには、解錠帯板６の係合凹部６ｆ、６ｇが、その下方摺動時に係合可能となっている。また、上記表枠ロック爪２とガラス枠ロック爪４との間にばね部材（コイルばね）１３がかけられ、ガラス枠ロック爪４と表枠ロック爪２は共に上方の施錠方向に付勢される。また、中間部のガラス枠ロック爪５の突起部５ｂと取付板１１間にばね部材（コイルばね）１４がかけられる。さらに、下部の表枠ロック爪３と取付板１１間にばね部材（コイルばね）１５がかけられ、共に上方の施錠方向に付勢されている。
【００２６】
図１２に示すように、基枠１の取付板１１の下部近傍に幅広部が形成され、その部分に、シリンダ錠用の開口部が形成され、シリンダ錠７は、基枠１の取付板１１の内側からその開口部に挿入され、フランジ７ａを取付板１１の内側に当てて、錠軸７ｂを内側に配置し、フランジ７ａを取付板１１に締め付け固定して取り付けられる。
【００２７】
シリンダ錠７の取付板１１の内側に突出した錠軸７ｂの先端に、カム部材８が固定される。このカム部材８には、上記のように、第１係合凸部８ａ、第２係合凸部８ｂ及び第３係合凸部８ｃが突出して設けられる。図１０、図１２に示すように、第１係合凸部８ａと第２係合凸部８ｂは、基枠１内で、支持板１２及び解錠帯板６の側を向き、第３係合凸部８ｃは反支持板側に向いて配設される。そして、カム部材８の第１係合凸部８ａは、シリンダ錠７に挿入したキーを右に回したとき、解錠帯板６の係合孔６ｃに進入して係合し、解錠帯板６を上方に摺動させ、キーを左に回したとき、解錠帯板６の係合孔６ｄに進入して係合し、解錠帯板６を下方に摺動させる。また、キーを右に回したときには、図１８に示すように、カム部材８の第３係合凸部８ｃが駆動部２５の係合部２５ｂに係合し、駆動部２５を下方に押し下げる構造となっている。
【００２８】
本体枠２０の右辺部２０ａの内側に、図２、図６に示す如く、表枠ロック爪２，３に対応した位置に、受け金具２３，２４が固定される。この受け金具２３，２４は、表枠２１が閉じられたとき、表枠２１の自由端側に取り付けられた施錠具Ａの上部と下部の表枠ロック爪３，４が係止される本体枠２０の右辺部２０ａに固定されている。また、表枠２１の前面には、ガラス枠２２がその左辺部を、図示しないヒンジを介して開放可能に取り付けられるが、そのガラス枠２２の右辺部の自由端側の内側に、ガラス枠係止部２２ａ、２２ｂが、ガラス枠ロック爪４，５に対応した位置に設けられ、ガラス枠２２を表枠２１に対し閉じたとき、ガラス枠係止部２２ａ、２２ｂが各々、施錠具Ａのガラス枠ロック爪４，５に対し係止され、ガラス枠２２は施錠される。
【００２９】
図１に示すように、本体枠２０と表枠２１の上辺部２０ｂ、２１ｂには第２施錠具Ｂが設けられる。第２施錠具Ｂは、図４、図５、図８に示すように、表枠２１の上辺部２１ｂの内側に固定される係止部３１と本体枠２０の上辺部２０ｂの内側に摺動可能に取り付けられる上辺ロック爪３２とから構成され、上辺ロック爪３２にはワイヤケーブル２６が係合可能とされる。係止部３１は上辺ロック爪３２が係止される部分を内側に折り曲げて形成され、固定ねじなどで表枠２１の上辺部２１ｂの内側に固定される。
【００３０】
上辺ロック爪３２は、図８のように、略三角形状のロック爪を前面に突出するように構成され、その元部にガイド孔が形成され、ガイド孔にガイドピンを挿入し、そのガイドピンの先端を本体枠２０の上辺部２０ｂの内側に固定することにより、所定の範囲で摺動可能に取り付けられる。また、ばね部材（コイルばね）３３が上辺ロック爪３２と上辺部２０ｂとの間にかけられ、上辺ロック爪３２はばね部材３３により施錠方向に付勢されている。上辺ロック爪３２の端部に係合部３２ａが設けられ、ワイヤケーブル２６の係合部２６ａが図４の右方向（解錠側）に移動したとき、係合部２６ａが係合部３２ａに係合する。
【００３１】
したがって、図４のように、表枠２１を閉じると、係止部３１の係止部分が上辺ロック爪３２の頭部傾斜面に当接して上辺ロック爪３２を図４の右側に移動させ、爪のアンダーカット部が係止部３１に係止されたとき、上辺ロック爪３２がばね部材３３に付勢力により戻って施錠される。また、図２０のように、ワイヤケーブル２６が、施錠具Ａの解錠操作によって、図２０の右側に移動したとき、上辺ロック爪３２がばね部材３３に付勢力に抗して図の右方向に摺動し、第２施錠具Ｂが解錠動作する。
【００３２】
さらに、図３、図５に示すように、本体枠２０と表枠２１の左辺部２０ｃ、２１ｃには第３施錠具Ｃが設けられる。第３施錠具Ｃは、図３、図５、図７に示すように、表枠２１の左辺部２１ｃの内側の上部と下部に固定される１対の左辺ロック爪４２、５２と、本体枠２０の左辺部２０ｃの内側の上部と下部に摺動可能に取り付けられる１対の係止部４１，５１とから構成され、各係止部４１，５１にはワイヤケーブル２６が係合可能とされる。
【００３３】
左辺ロック爪４２，５２は、図７のように、板状本体にロック爪を突設して形成され、そのロック爪を本体枠２０側に突出するように表枠２１の内側に、固定ねじなどで固定される。係止部４１，５１は、矩形の板状に形成され、その中央に矩形の係止孔４１ａ，５１ａが形成され、係止孔の縁部に左辺ロック爪４２，５２を係止させる構造である。
【００３４】
また、係止部４１，５１の上部と下部には、ガイド孔が形成され、ガイド孔にガイドピンを挿入し、そのガイドピンの先端を本体枠２０の左辺部２０ｃの内側に固定することにより、所定の範囲で上下に摺動可能に取り付けられる。また、ばね部材（コイルばね）４３、５３が係止部４１，５１と左辺部２０ｃとの間にかけられ、係止部４１，５１はばね部材４３、５３により施錠方向（下方）に付勢されている。係止部４１，５１の係止孔の端部には、ワイヤケーブル２６との係合用に、係合部４１ｂ、５１ｂが設けられる。
【００３５】
ワイヤケーブル２６は、図３、図５、図７のように、本体枠２０内の右辺部２０ａから上辺部２０ｂにかけて、さらに上辺部２０ｂから左辺部２０ｃの下方にかけて、略コ字状に張設される。その右辺部２０ａと上辺部２０ｂの角部及び上辺部２０ｂと左辺部２０ｃの角部には、図１３のように、ガイドプーリ２７がプーリ保持枠２８を介して取り付けられ、ワイヤケーブル２６はガイドプーリ２７に挿通され角部をガイドされながら移動する。
【００３６】
さらに、図１４に示すように、ワイヤケーブル２６の左辺部に対応する箇所に、係合部２６ｂ、２６ｃが取り付けられ、係合部２６ｂは係止部４１の係合部４１ｂと係合し、係合部２６ｃは係止部５１の係合部５１ｂと係合可能である。ワイヤケーブル２６が引っ張られ、その係合部２６ｂ、２６ｃが図３の上方向（解錠側）に移動したとき、係合部２６ｂが係合部４１ｂに係合し、係合部２６ｃが係合部５１ｂに係合して係止部４１，５１を上方に移動させる。
【００３７】
したがって、ワイヤケーブル２６が、施錠具Ａの解錠操作によって、図３の上方に移動したとき、係止部４１，５１がばね部材４３，５３に付勢力に抗して図の上方に摺動し、第３施錠具Ｃが解錠動作する。また、第３施錠具Ｃの上下の左辺ロック爪４２，５２は表枠２１の左辺部２１ｃに固定されるが、左辺ロック爪４２，５２の頭部形状は三角形状の傾斜面を有しているため、表枠２１が閉鎖される際、左辺ロック爪４２，５２が本体枠２０側の係止部４１，５１の係止孔４１ａ，５１ａに進入したとき、係止部４１，５１は左辺ロック爪４２，５２の頭部傾斜面に押されて一旦上方に移動し、爪のアンダーカット部に係止部４１，５１が係止されたとき、下方に戻り、施錠される。
【００３８】
次に、上記構成の施錠装置の動作を説明する。パチンコ遊技機の本体枠２０に対し表枠２１を閉じると、施錠具A、第２施錠具Ｂ、第３施錠具Ｃが各々施錠動作し、表枠２１の右辺部２１ａが本体枠２０の右辺部２０ａに対し施錠具Ａによって施錠され、同様に表枠２１の上辺部２１ｂが本体枠２０の上辺部２０ｂに対し第２施錠具Ｂによって施錠され、同様に表枠２１の左辺部２１ｃが本体枠２０の左辺部２０ｃに対し第３施錠具Ｃによって施錠される。
【００３９】
すなわち、施錠具Aの表枠ロック爪２，３は、表枠２１の閉鎖時、受け金具２３，２４に接触し、そのとき、ばね部材１３，１５のばね力に抗して表枠ロック爪２，３が枢軸２ａ，３ａを軸に各々単独で下側に傾動し、その後元の水平位置に戻って受け金具２３，２４に係止され、施錠具Aは施錠状態となる。
【００４０】
また、第２施錠具Ｂの上辺ロック爪３２は、表枠２１の閉鎖時に、係止部３１がロック爪の頭部傾斜面に接触して、係止部３１がばね部材３３のばね力に抗して図４の右側に移動し、その後元の位置に戻ることにより、係止され、施錠状態となる。
【００４１】
さらに、第３施錠具Ｃの上部と下部の係止部４１，５１は、表枠２１側の左辺ロック爪４２，５２の頭部傾斜面が接触し、そのとき、ばね部材４３，５３の付勢力に抗して係止部４１，５１が上方に摺動し、その後元の位置に戻ることにより、左辺ロック爪４２，５２に対し係止され、施錠状態となる。
【００４２】
このように、表枠２１を本体枠２０に対し閉じると、枠部の右辺部２０ａ，２１ａにおいて施錠具Ａの表枠ロック爪２，３が係止されて施錠状態となり、上辺部２０ｂ、２１ｂにおいては第２施錠具Ｂの係止部３１が上辺ロック爪３２に係止されて施錠状態となり、さらに左辺部２０ｃ、２１ｃにおいては上部と下部の第３施錠具Ｃの係止部４１，５１が各々左辺ロック爪４２，５２に係止されて施錠状態となるため、表枠２１の自由端側の右辺部だけではなく、枠部の上辺部２１ｂ、左辺部２１ｃが共にロックされる。
【００４３】
したがって、遊技者がパチンコ遊技機の上皿を持って、表枠２１を強く引き、或いは本体枠２０と表枠２１の右辺部、上辺部又は左辺部の接合面に不正工具を差し込んで開こうとしても、表枠２１の右辺部２１ａ、上辺部２１ｂ、左辺部２１ｃに隙間が生じる或いは隙間が広がることはない。したがって、表枠２１と本体枠２０の隙間から針金などの不正器具を差し込むことは非常に難しく、不正行為を防止することができる。
【００４４】
一方、表枠２１を解錠する場合は、施錠具Ａのシリンダ錠７にキーを挿入して、それを右に回し、その錠軸７ｂとカム部材８を図１０の反時計方向に回動させる。このとき、施錠具Ａは、図１８に示すように、カム部材８の第１係合凸部８ａが係合孔６ｃに係合して解錠帯板６を上方に摺動させる。これにより、解錠帯板６の係合凹部６ａ、６ｂが表枠ロック爪２，３の突起部２ｂ、３ｂに係合して表枠ロック爪２，３を図１６、図１８のように下側に傾動させ、受け金具２３，２４との係合を外して解錠される。
【００４５】
また同時に、カム部材８の第３係合凸部８ｃが図１０の下方に回動して駆動部２５の係合部２５ｂに係合し、これを押し下げるように動作する。これにより、図１８に示すように、駆動部２５がばね部材２９のばね力に抗して下に押し下げられ、ワイヤケーブル２６が下方に引っ張られ、移動する。
【００４６】
このとき、枠部の上辺部の第２施錠具Ｂは、図２０に示すように、ワイヤケーブル２６の係合部２６ａが上辺ロック爪３２の係合部３２ａに係合して上辺ロック爪３２を右側に移動させる。これにより、上辺ロック爪３２と係止部３１との係合が外れ、解錠状態となる。
【００４７】
さらに、左辺部の上下の第３施錠具Ｃは、図１、図３などに示すように、ワイヤケーブル２６の係合部２６ｂ、２６ｃが係止部４１の係合部４１ｂと係止部５１の係合部５１ｂに係合して係止部４１と係止部５１を上側に移動させる。これにより、係止部４１と左辺ロック爪４２の係合が外れ、係止部５１と左辺ロック爪５２の係合が外れ、解錠状態となる。
【００４８】
このように、シリンダ錠７の錠軸７ｂとカム部材８の回動により、施錠具Ａの表枠ロック爪２，３が傾動してロックが解除されると共に、駆動部２５を介してワイヤケーブル２６が引張され、これにより枠部上辺部の第２施錠具Ｂの上辺ロック爪３２が外れ、さらに、枠部左辺部の第３施錠具Ｃの左辺ロック爪４２，５２の係止部４１，５１に対する係止が外れるため、表枠２１は解錠させ、開くことができる。
【００４９】
一方、ガラス枠２２を解錠する場合、シリンダ錠７にキーを差し込み、キーを左に回すと、カム部材８が図１０の時計方向に回動し、これにより、第２係合凸部８ｂが図１９のように、係合孔６ｄに係合して解錠帯板６を下方に移動させる。これにより、解錠帯板６の係合凹部６ｆ、６ｇが各々ガラス枠ロック爪４、５と係合して、ガラス枠ロック爪４，５が下側に傾動する。これにより、ガラス枠ロック爪４，５のガラス枠係止部２２ａ，２２ｂに対する係合が外れ、ガラス枠２２が解錠される。
【００５０】
なお、上記実施形態では、枠部の右辺部に装着した施錠具Ａと共に、枠部の上辺部に第２施錠具Ｂを取り付け、さらに、枠部の左辺部に第３施錠具Ｃを取り付けたが、施錠具Ａと共に第２施錠具Ｂのみを取り付けた場合でも、表枠の複数の辺部を強固にロックして、隙間の発生を防止することができるという効果を奏するものである。
【００５１】
また、上記実施形態では、第２施錠具Ｂにおいて、上辺ロック爪３２を摺動可能としたが、係止部３１を本体枠側で摺動可能とし、上辺ロック爪３２を表枠側に固定することもできる。
【００５２】
また、上記施錠具Ａの表枠ロック爪２，３は、枢軸を介して枢支された回動式としたが、表枠ロック爪をスライド式とし、摺動して受け金具に係止または離脱させる構造とすることもできる。
【図面の簡単な説明】
【００５３】
【図１】本発明の一実施形態を示す遊技機用施錠装置を含むパチンコ遊技機の枠部の正面図である。
【図２】施錠具Ａの右側面図を含む枠部の右辺部の縦断面図である。
【図３】第３施錠具Ｃの左側面図を含む枠部の左辺部の縦断面図である。
【図４】第２施錠具Ｂの平面図を含む枠部の上辺部の水平断面図である。
【図５】枠部から施錠具Ａ，第2施錠具Ｂ，第3施錠具Ｃを外した状態の分解正面図である。
【図６】枠部から施錠具Ａ、ワイヤケーブルを外した状態での分解右側面図である。
【図７】枠部から第３施錠具Ｃ、ワイヤケーブルを外した状態での分解左側面図である。
【図８】枠部から施錠具Ａ、第２施錠具Ｂ、ワイヤケーブルを外した状態での分解平面図である。
【図９】施錠具Ａの右側面図である。
【図１０】施錠具Ａの背面図である。
【図１１】施錠具Ａの分解右側面図である。
【図１２】施錠具Ａの分解背面図である。
【図１３】枠部におけるワイヤケーブルを示す正面図である。
【図１４】ワイヤケーブルの正面図である。
【図１５】解錠時の施錠具Ａの動作を示す右側面を含む縦断面図である。
【図１６】施錠具Ａの解錠時の右側面図である。
【図１７】施錠具Ａのガラス枠解錠時の右側面図である。
【図１８】施錠具Ａの解錠動作を示す拡大右側面図である。
【図１９】施錠具Ａのガラス枠の解錠動作を示す拡大右側面図である。
【図２０】第２施錠具Ｂの解錠時の平面図である。
【符号の説明】
【００５４】
１      基枠
２      表枠ロック爪
３      表枠ロック爪
４      ガラス枠ロック爪
５      ガラス枠ロック爪
６      解錠帯板
７      シリンダ錠
７ｂ    錠軸
８      カム部材
８ａ    第１係合凸部
８ｂ    第２係合凸部
８ｃ    第３係合凸部
１１    取付板
１２    支持板
１６    ガイドピン
１９    ヒンジ
２０    本体枠
２０ａ  右辺部
２０ｂ  上辺部
２０ｃ  左辺部
２１    表枠
２１ａ  右辺部
２１ｂ  上辺部
２１ｃ  左辺部
２５    駆動部
２６    ワイヤケーブル
２７    ガイドプーリ
３１    係止部
３２    上辺ロック爪
４１    係止部
４２    左辺ロック爪
５１    係止部
５２    左辺ロック爪
Ａ      施錠具
Ｂ      第２施錠具
Ｃ      第３施錠具                                                                       
【図１】
2008079820.tif 000003
【図２】
2008079820.tif 000004
【図３】
2008079820.tif 000005
【図４】
2008079820.tif 000006
【図５】
2008079820.tif 000007
【図６】
2008079820.tif 000008
【図７】
2008079820.tif 000009
【図８】
2008079820.tif 000010
【図９】
2008079820.tif 000011
【図１０】
2008079820.tif 000012
【図１１】
2008079820.tif 000013
【図１２】
2008079820.tif 000014
【図１３】
2008079820.tif 000015
【図１４】
2008079820.tif 000016
【図１５】
2008079820.tif 000017
【図１６】
2008079820.tif 000018
【図１７】
2008079820.tif 000019
【図１８】
2008079820.tif 000020
【図１９】
2008079820.tif 000021
【図２０】
2008079820.tif 000022